(57)【要約】【課題】接地線を使用しない状態であっても、当該接地線の確実な絶縁を実現することができる２ピン型電源プラグを提供する。【解決手段】接地線５を有する２ピン型電源プラグ１であって、当該電源プラグ１の本体１Ａに接地線５が係脱自在に係合する接地線保持部７を備え、接地線５を使用しない場合には、接地線５を電源プラグ１自体に設けられた接地線保持部７に係合保持させることにより、接地線５の端子部６の絶縁を実現すると共に、接地線５が電源プラグ１からぶら下がった状態となることを防止する。【選択図】図１
2012204138.tif 000002
【特許請求の範囲】
【請求項１】
接地線を有する２ピン型電源プラグにおいて、
前記接地線が係脱自在に係合する接地線保持部を備えたことを特徴とする電源プラグ。
【請求項２】
接地線を有する２ピン型電源プラグにおいて、
前記接地線の端子部を包囲した状態で、当該接地線が挿脱自在に挿入保持される接地線保持部を備えたことを特徴とする電源プラグ。
【発明の詳細な説明】
【技術分野】
【０００１】
本発明は、電源プラグに関するものであって、特に、１対の電源端子及び接地線を有する２ピン型電源プラグに関するものである。
【背景技術】
【０００２】
一般に、電気機器は、接続された電源プラグを介してＡＣ電源より電源を得て動作する。電源プラグは、ラインとニュートラルの２極を有する２ピン型電源プラグの他に、万一、漏洩電流が流れてしまうことを防止するため、該２極に加えて接地用の端子を備えた３ピン型電源プラグがある。
【０００３】
上記２ピン型電源プラグでも、当該安全性を考慮し、特許文献１に示すように、プラグに接地線が設けられたものもある。この場合、ＡＣコンセントの基体に設けられた電源端子挿入穴に２ピン型電源プラグの電源端子（ラインとニュートラル）が差し込み接続され、接地線は、基体の接地端子挿入口に設けられた雌ネジ部に雄ネジを螺合させて接地線の端子部をネジ止めすることにより行われている。
【先行技術文献】
【特許文献】
【０００４】
【特許文献１】特開２０００−２００６４８号公報
【発明の概要】
【発明が解決しようとする課題】
【０００５】
しかしながら、従来の接地線を有する２ピン型電源プラグでは、電源プラグを接地端子挿入口を有しないコンセントに接続して使用する場合や、接地端子挿入口がある場合であっても接地線を使用しないや場合には、電源プラグから接地線がぶら下がった状態となる。この際、接地線の先端に設けられた端子部が周辺の導電性部材と接触してしまうことがあり、絶縁を確保することができないという問題がある。そのため、係る場合には、図４に示すように、電源プラグ１００の接地線１０１の端子部１０１Ａに、絶縁性材料にて形成されたキャップ１０２を着脱自在に取り付けることにより、当該端子部１０１Ａの全体を被覆していた。
【０００６】
しかしながら、係る方法では、キャップ１０２を使用しない場合に、当該キャップ１０２を別途保管しておかなければならず、紛失する問題があった。また、キャップを取り付けた場合であっても、依然として接地線１０１は、電源プラグ１００からぶら下がった状態となるため、電源プラグに接続される電源コードとの絡まりや美観を損ねる問題がある。
【０００７】
本発明は従来の技術的課題を解決するために成されたものであり、接地線を使用しない状態であっても、当該接地線の確実な絶縁を実現することができる２ピン型電源プラグを提供する。
【課題を解決するための手段】
【０００８】
上記課題を解決するために、本発明は、接地線を有する２ピン型電源プラグであって、接地線が係脱自在に係合する接地線保持部を備えたことを特徴とする。
【０００９】
請求項２の発明は、接地線を有する２ピン型電源プラグであって、接地線の端子部を包囲した状態で、当該接地線が挿脱自在に挿入保持される接地線保持部を備えたことを特徴とする。
【発明の効果】
【００１０】
本発明によれば、接地線を有する２ピン型電源プラグにおいて、接地線が係脱自在に係合する接地線保持部を備えたことにより、接地線を使用しない場合には、接地線を電源プラグ自体に設けられた接地線保持部に係合保持させることにより、接地線が電源プラグからぶら下がった状態となることを防止することができる。
【００１１】
そのため、接地線が電源プラグに接続された電源コードに絡まってしまう不都合や、接地線の端子部が意図することなく周辺の導電性部材と接触してしまう不都合を未然に回避することができる。これにより、接地線を使用しない場合でも、当該接地線の先端部を接地線保持部により保持することにより、確実な絶縁を実現することができ、機器の安全性を向上させることができる。
【００１２】
請求項２の発明によれば、接地線を有する２ピン型電源プラグにおいて、接地線の端子部を包囲した状態で、当該接地線が挿脱自在に挿入保持される接地線保持部を備えたことにより、接地線を使用しない場合には、接地線を電源プラグ自体に設けられた接地線保持部に挿入保持させることにより、接地線が電源プラグからぶら下がった状態となることを防止することができる。
【００１３】
そのため、接地線が電源プラグに接続された電源コードに絡まってしまう不都合を回避することができると共に、接地線の端子部は、接地線保持部により被覆保持することにより、確実な絶縁を実現することができる。これにより、機器の安全性を向上させることができる。
【図面の簡単な説明】
【００１４】
【図１】本発明に係る電源プラグの概略構成図である。
【図２】図１の電源プラグの平断面図である。
【図３】他の実施例の電源プラグの概略構成図である。
【図４】従来の電源プラグの概略構成図である。
【発明を実施するための形態】
【００１５】
以下、本発明の実施の形態について、図１及び図２を参照して詳細に説明する。図１は電源プラグ１の概略構成図、図２は図１の電源プラグ１の平断面図をそれぞれ示している。本発明の電源プラグ１は、電気機器からの電源コード２の一端に接続された所謂２ピン型電源プラグであり、絶縁性の合成樹脂製の本体１Ａと、該本体１Ａに設けられた１対の電源端子（ライン及びニュートラル）３、４及び接地線５により構成されている。
【００１６】
本体１Ａには、接地線引出部１Ｂが設けられており、該接地線引出部１Ｂより外部に接地線５が所定寸法、外部に引き出されている。そして、この接地線５の先端部には、導電性の円形状の接地端子６が設けられている。
【００１７】
また、電源プラグの本体１Ａの外面には、接地線保持部７が当該本体１Ｂと一体に形成されている。本実施例において、接地線保持部７が本体１Ｂより外部に向けて突出した略Ｃ形状を呈しており、外部から内方に向けて形成された切欠７Ａより接地線５を挿脱自在とされている。これにより、接地線保持部７内に接地線５を係脱自在に係合保持可能とされる。尚、本実施例では、本体１Ａは絶縁性の合成樹脂にて構成されており、接地線保持部７も同様に絶縁性材料にて構成されている。
【００１８】
一方、当該電源プラグ１を介して電気機器への電源供給を行うため床や壁面等に設けられる図示しない電源コンセントは、１対の電源端子挿入穴と、接地端子部挿入口及び接地端子部固定ネジを有している。
【００１９】
以上の構成により、電気機器に電源を供給する場合には、先ず、電源プラグ１の各電源端子３、４を電源コンセントの電源端子挿入穴に挿入する。接地線５を電源コンセントに接続して使用する場合には、円形状の接地線５の端子部６を電源コンセントの接地端子部挿入口に挿入すると共に、端子部６を電源コンセントの接地端子部固定ネジにて締め付けて接続する。
【００２０】
一方、接地線５を使用しない場合、若しくは、電源コンセントに接地端子部挿入口が設けられておらず、接地線５を接続することができない場合には、接地線５を電源プラグ１の本体１Ａに備えられた接地線保持部７に切欠７Ａから挿入し、該接地線保持部７に係合保持させる。図１では接地線保持部７に接地線５を係合保持させた状態を示している。
【００２１】
これにより、電源プラグ１の本体１Ａから引き出された接地線５の先端の端子部６を、電源プラグの本体１Ａに確実に固定することができる。そのため、当該端子部６が、該本体１Ａからぶら下がった状態となり、意図することなく、周辺の導電性部材と接触してしまう不都合を未然に回避することができる。
【００２２】
従って、接地線５を使用しない場合でも、当該接地線５の先端の端子部６を接地線保持部７により保持することで、確実な絶縁を実現することができ、機器の安全性を向上させることができる。特に、従来のように絶縁性材料にて構成されたキャップにて端子部６を被覆していた場合と異なり、非使用時に該キャップを別途保管しておく必要が無い。そのため、キャップを紛失する不都合を回避でき、簡素な構成にて、接地線５の端子部６の絶縁を可能とすることができる。
【００２３】
また、接地線５は先端の端子部６を本体１Ａに設けられた接地線保持部７に係合されるため、電源プラグ１に接続された電源コード２と絡まってしまう不都合も解消することができ、更には、美感の向上を図ることができる。
【００２４】
次に、図３の電源プラグ１０の概略構成図を参照して、本願発明の他の実施例について詳述する。係る実施例における電源プラグ１０は、上記実施例と同様、所謂２ピン型電源プラグである。
【００２５】
係る実施例では、上記実施例の本体１Ａに備えられた接地線保持部７の代わりに、接地線保持部１１が本体１Ａの外面に一体に設けられている。
【００２６】
この接地線保持部１１は、絶縁性軟質合成樹脂にて構成されており、少なくとも内部に接地線５の端子部６を収容保持可能とされている。本実施例では、その使用性を考慮し、電源端子３、４側が閉塞し、電源コード２側に挿入開口１２が形成されている。
【００２７】
係る構成により、接地線５を使用しない場合、若しくは、電源コンセントに接地端子部挿入口が設けられておらず、接地線５を接続することができない場合には、接地線５の端部の端子部６を電源プラグ１の本体１Ａに備えられた接地線保持部１１に挿入開口１２より挿入し、該接地線保持部１１内に該端子部６を包囲した状態で、挿入保持させる。この際、端子部６は、接地線保持部１１自体が有する可撓性によって略きっちりと挿入保持される。図３では接地線保持部１１内に接地線５の端子部６を挿入保持させた状態を示している。
【００２８】
これにより、上記実施例同様に、電源プラグ１の本体１Ａから引き出された接地線５の先端の端子部６を、電源プラグの本体１Ａに確実に固定することができる。そのため、当該端子部６が、該本体１Ａからぶら下がった状態となり、意図することなく、周辺の導電性部材と接触してしまう不都合を未然に回避することができる。
【００２９】
従って、接地線５を使用しない場合でも、当該接地線５の先端の端子部６を絶縁性材料にて構成された接地線保持部１１内に包囲された状態で保持することが可能となり、より確実な絶縁を実現することができる。これによって、より一層、機器の安全性を向上させることができる。
【００３０】
また、接地線５の端子部６の全体を包囲可能とする接地線保持部１１は、電源プラグ１の本体１Ａに備えられているため、従来のような着脱可能なキャップが用いられる場合と異なり、該キャップの紛失等の不都合を回避することができる。
【００３１】
更に、上記実施例と同様に、接地線５は先端の端子部６を本体１Ａに設けられた接地線保持部内に被覆保持されるため、電源プラグ１に接続された電源コード２と絡まってしまう不都合も解消することができ、更には、美感の向上を図ることができる。
【符号の説明】
【００３２】
１    電源プラグ
１Ａ  本体
１Ｂ  接地線引出部
２    電源コード
３、４  電源端子
５    接地線
６    端子部
７    接地線保持部
１０    電源プラグ
１１    接地線保持部
１２    挿入開口
【図１】
2012204138.tif 000003
【図２】
2012204138.tif 000004
【図３】
2012204138.tif 000005
【図４】
2012204138.tif 000006